(57)【要約】【課題】センサの応答速度低下防止用の光学素子を追加することなく、センサの応答速度低下を防止する。【解決手段】フォーカスエラー信号をスポットサイズ法によって検出する相変化型光ディスク用ヘッド装置において、光ディスクからの反射レーザ光を回折によって複数の光束である０次光、±ｍ次回折光に分割すると共に、複数の光束に光軸方向に関して正負方向のデフォーカスを発生させる光束分割手段と、光軸上に配設され、０次光を受光するデータ用受光素子と、データ用受光素子と略同一平面上に、かつ光軸対称に設けられ、±ｍ次回折光を受光する一対のサーボ用受光素子とを有し、一対のサーボ用受光素子がそれぞれ等しい光量の光束を受光した場合に異なった信号を出力するよう構成され、データ用受光素子と一対のサーボ用受光素子の出力に基づき、データ信号とサーボ信号を検出する。【選択図】      図５
2004178760.tif 000002
【特許請求の範囲】
【請求項１】
フォーカスエラー信号をスポットサイズ法によって検出する相変化型光ディスク用ヘッド装置において、
光ディスクからの反射レーザ光を回折によって複数の光束である０次光、±ｍ次回折光に分割すると共に、前記複数の光束に光軸方向に関して正負方向のデフォーカスを発生させる光束分割手段と、
前記光軸上に配設され、前記０次光を受光するデータ用受光素子と、
前記データ用受光素子と略同一平面上に、かつ前記光軸対称に設けられ、前記±ｍ次回折光を受光する一対のサーボ用受光素子と、を有し、
前記一対のサーボ用受光素子がそれぞれ等しい光量の光束を受光した場合に異なった信号を出力するよう構成され、
前記データ用受光素子と前記一対のサーボ用受光素子の出力に基づき、データ信号とサーボ信号を検出すること、を特徴とする相変化型光ディスク用ヘッド装置。
【請求項２】
前記一対のサーボ用受光素子は、それぞれ前記光ディスクのラジアル方向に相当する方向と平行な分割線により分割された少なくとも３つの受光エレメントを有し、
前記一対のサーボ用受光素子の受光面の中心を含む前記受光エレメントの受光面積は、それぞれ異なること、を特徴とする請求項１に記載の相変化型光ディスク用ヘッド装置。
【請求項３】
前記一対のサーボ用受光素子の受光感度は、それぞれ異なること、を特徴とする請求項１に記載の相変化型光ディスク用ヘッド装置。
【請求項４】
前記一対のサーボ用受光素子のいずれか一方の受光面前面に減光フィルタが設けられていること、を特徴とする請求項１に記載の相変化型光ディスク用ヘッド装置。
【請求項５】
前記一対のサーボ用受光素子の演算処理に、それぞれ異なった係数が用いられること、を特徴とする請求項１に記載の相変化型光ディスク用ヘッド装置。
【請求項６】
前記光束分割手段は、ホログラム素子であること、を特徴とする請求項１〜請求項５のいずれかに記載の相変化型光ディスク用ヘッド装置。
【請求項７】
前記ホログラム素子は、同心円で、かつ断面形状が矩形構造の溝形状を有すること、を特徴とする請求項６に記載の相変化型光ディスク用ヘッド装置。
【発明の詳細な説明】
【０００１】
【発明の属する技術分野】
この発明は、光源から照射された光束を光ディスク上に導き、光情報の記録、再生、及び消去を行う相変化型光ディスク用ヘッド装置に関する。
【０００２】
【従来の技術】
従来、光ディスクなどの光情報記録媒体からの反射光を分割し、その分割された光束を受光素子により受光してデータ信号、サーボ信号を得る構成の相変化型光ディスク用ヘッド装置が知られている（例えば、特許文献１参照。）。その相変化型光ディスク用ヘッド装置は次のように構成されている。光ディスクからの反射レーザ光（戻り光）が、回折格子によって、０次光、±１次回折光に分離され、０次光がデータ信号用光束、＋１次回折光がサーボ信号用光束として用いられている。回折格子から射出した０次光、＋１次回折光は、それぞれデータ用センサ、サーボ用センサに入射し、各センサの出力に基づいて各信号が検出されている。なお、この公報において、フォーカスエラー信号は非点収差法、トラッキングエラー信号はプッシュプル法によって検出している。
【０００３】
また、フォーカスエラー信号はスポットサイズ法、トラッキングエラー信号はプッシュプル法によって検出している光情報記録再生ヘッド装置がある（例えば、特許文献２参照。）。この装置を応用して、０次光をデータ信号用光束、±１次回折光をサーボ信号用光束とするような相変化型光ディスク用ヘッド装置を構成することができる。その場合、光磁気ディスク用の光情報記録再生ヘッド装置と、相変化型光ディスク用の相変化型光ディスク用ヘッド装置のいずれにおいても同様の調整装置、治具などを使用することができる。
【０００４】
【特許文献１】
特開平９−９１７１５号公報（第３、４項、第１〜３図）
【特許文献２】
特開２０００−２７６７４４号公報（第４、５項、第２、９図）
【０００５】
【発明が解決しようとする課題】
しかしながら、上述の相変化型光ディスク用ヘッド装置では、サーボ信号検出用である±１次回折光は、センサ面を挟んで光軸方向に等量にそれぞれ正負のデフォーカスが与えられている。そして各サーボ用センサは、データ用センサを挟んで光軸と直交する方向に等距離に配設され、データ用センサは、光軸上に配設され、さらに各センサが同一平面上に配設されているため、合焦時、０次光は、データ用センサ面上において極小の点として集光されてしまう（すなわち、焦点を結ぶ。）。その結果、エネルギー密度の高い光束が、センサ面上で受光されてしまい、センサの応答速度が低下してしまう問題があった。この問題の解決方法として、新たに別の光学素子を追加し、データ用センサ面上で形成されるスポット径を大きくし、受光される光束のエネルギー密度を低くする方法がある。ところが、新たに別の光学素子を追加すると、装置の大型化、複雑化、及びコストアップに繋がってしまう。
【０００６】
そこで、本発明は上記の事情に鑑み、新たに別の光学素子を追加することなく、センサの応答速度低下を防止することが可能となる相変化型光ディスク用ヘッド装置を提供することを目的とする。
【０００７】
【課題を解決するための手段】
上記の課題を達成するため、請求項１に記載の相変化型光ディスク用ヘッド装置は、フォーカスエラー信号をスポットサイズ法によって検出する相変化型光ディスク用ヘッド装置において、光ディスクからの反射レーザ光を回折によって複数の光束である０次光、±ｍ次回折光に分割すると共に、複数の光束に光軸方向に関して正負方向のデフォーカスを発生させる光束分割手段と、光軸上に配設され、０次光を受光するデータ用受光素子と、データ用受光素子と略同一平面上に、かつ光軸対称に設けられ、±ｍ次回折光を受光する一対のサーボ用受光素子とを有し、一対のサーボ用受光素子がそれぞれ等しい光量の光束を受光した場合に異なった信号を出力するよう構成され、データ用受光素子と一対のサーボ用受光素子の出力に基づき、データ信号とサーボ信号を検出することを特徴とする。このように一対のサーボ用受光素子がそれぞれ等しい光量の光束を受光した場合に異なった信号を出力するよう構成すると、フォーカスエラー信号をスポットサイズ法によって検出しているため、一対のサーボ用受光素子それぞれに異なった量のデフォーカスを発生させて、フォーカスエラーを除去しようとする。そのため、データ用受光素子上において焦点が結ばれることなく、デフォーカスが発生し、エネルギー密度の低い光束を、データ用受光素子上で受光し、受光素子の応答速度低下を防止することが可能となる。
【０００８】
また、請求項２に記載の相変化型光ディスク用ヘッド装置において、一対のサーボ用受光素子は、それぞれ光ディスクのラジアル方向に相当する方向と平行な分割線により分割された少なくとも３つの受光エレメントを有し、一対のサーボ用受光素子の受光面の中心を含む受光エレメントの受光面積はそれぞれ異なることを特徴とする。
【０００９】
また、請求項３に記載の相変化型光ディスク用ヘッド装置において、一対のサーボ用受光素子の受光感度はそれぞれ異なることを特徴とする。このように受光感度がそれぞれ異なるように各サーボ用受光素子を構成すると、この受光感度の相違を補うように、一対のサーボ用受光素子それぞれに異なった量のデフォーカスを発生させて、フォーカスエラーを除去しようとする。そのため、０次光の焦点がデータ用受光素子面上から外れ、その面でデフォーカスが生じ、応答速度低下を防止することが可能となる。各サーボ用受光素子の受光感度以外は共通であるため、機械的な設計が簡便となる。
【００１０】
また、請求項４に記載の相変化型光ディスク用ヘッド装置は、一対のサーボ用受光素子のいずれか一方の受光面前面に減光フィルタが設けられていることを特徴とする。このようにいずれか一方のサーボ用受光素子前面に減光フィルタを配設すると、この減光した分の光量を補うように、一対のサーボ用受光素子それぞれに異なった量のデフォーカスを発生させて、フォーカスエラーを除去しようとする。そのため、０次光の焦点がデータ用受光素子面上から外れ、その面でデフォーカスが生じ、応答速度低下を防止することが可能となる。各サーボ用受光素子は共通部品となるため、コストダウンを図ることができる。
【００１１】
また、請求項５に記載の相変化型光ディスク用ヘッド装置は、一対のサーボ用受光素子の演算処理に、それぞれ異なった係数が用いられることを特徴とする。
このように演算処理に用いる係数が各サーボ用受光素子で異なるように装置を構成すると、フォーカスエラーを除去するために、一対のサーボ用受光素子それぞれに異なった量のデフォーカスを発生させて、フォーカスエラーを除去しようとする。そのため、０次光の焦点がデータ用受光素子面上から外れ、その面でデフォーカスが生じ、応答速度低下を防止することが可能となる。各サーボ用受光素子は共通部品となるため、コストダウンを図ることができる。
【００１２】
また、請求項６に記載の相変化型光ディスク用ヘッド装置は、光束分割手段は、ホログラム素子であることを特徴とする。
【００１３】
また、請求項７に記載の相変化型光ディスク用ヘッド装置は、ホログラム素子は、同心円で、かつ断面形状が矩形構造の溝形状を有することを特徴とする。
【００１４】
【発明の実施の形態】
図１は、本発明に係る、相変化型光ディスク用ヘッド装置の構成を示す斜視図である。相変化型光ディスク用ヘッド装置は、光源部１、対物光学系２、信号検出部３、処理部４を有する。光源部１は発散レーザ光を発生する半導体レーザ５、この半導体レーザ５が射出した発散レーザ光を平行光束に変換するコリメータレンズ６、このコリメータレンズ６により平行光束とされたレーザ光の断面形状を整形するアナモフィックプリズム７を有する。このアナモフィックプリズム７により整形された平行光束はプリズムブロック部８に導かれる。
【００１５】
プリズムブロック部８は、アナモフィックプリズム９、集光レンズ１０、直角プリズム１１を有する。集光レンズ１０はアナモフィックプリズム９に接合されている。アナモフィックプリズム９はアナモフィックプリズム７で整形された平行光束をさらに整形して、光束の断面形状をほぼ円形状にする。アナモフィックプリズム９と直角プリズム１１との間の接合面は偏光ビームスプリッター（ＰＢＳ）面１２として形成されている。ＰＢＳ面１２は、光源部１から出射された平行光束のＳ偏光成分の一部を集光レンズ１０に向けて反射する。集光レンズ１０はオートパワーコントロール（ＡＰＣ）用の受光素子１３上に光束を収束させる。受光素子１３の受光出力に基づき、半導体レーザ５の出力が自動制御される。
【００１６】
対物光学系２は、λ／４波長板４０、立ち上げミラープリズム１４と、対物レンズ１５とから概略構成される。ＰＢＳ面１２を透過した断面円形状の平行光束（Ｐ偏光）は、λ／４波長板４０によって円偏光となり、立ち上げミラープリズム１４で図中上方に向けて（光ディスク１６に向けて）反射され、対物レンズ１５により光ディスク１６の情報記録面上に収束される。
【００１７】
この光ディスク１６は、情報記録面としての裏面に同心円状の記録トラックが形成されており、図示を略す回転駆動手段により回転される。図１には座標軸Ｘ’Ｙ’Ｚ’からなる直交座標系を示す。Ｘ’軸は光ディスク１６の半径方向（すなわちトラッキング方向）、Ｙ’軸はトラッキング方向と直交する方向（タンジェンシャル方向）、Ｚ’軸はフォーカシング方向（対物レンズ１５の光軸方向）を示すものとする。対物レンズ１５は、光ディスク１６の半径方向（トラッキング方向）Ｘ’に駆動される光学ヘッド（図示を略す）内に立ち上げミラープリズム１４と共に設けられている。この対物レンズ１５は光学ヘッド内のアクチュエータの駆動によりＺ’方向に移動され、光ディスク１６の情報記録面上に合焦される。
【００１８】
光ディスク１６により反射された反射レーザ光束は、対物レンズ１５を透過した後、立ち上げミラープリズム１４によりプリズムブロック部８に向けて９０度偏向され、λ／４波長板４０によってＳ偏光となり、ＰＢＳ面１２で反射されて９０度偏向され、信号検出部３に導かれる。ここで、信号検出部３において、ＸＹＺ直交座標系を規定する。Ｘ軸、Ｙ軸、Ｚ軸はそれぞれディスク上でのＸ’軸、Ｙ’軸、Ｚ’軸に相当する。
【００１９】
信号検出部３は、ホログラム板１８、集光レンズ１９、複合センサ２０を有する。ホログラム板１８は、偏光特性がない位相型の非偏光ホログラム素子からなり、通常のパターニングと同様の方法で作成される。このようなホログラムは、元来、物体で反射される光束の波面、あるいは物体を透過する光束の波面に参照波面を加えて干渉させ、その干渉縞の強度を記録媒体に記録したものであり、周知のデフォーカス波面（球面波）、チルト波面（傾斜した平面波）等を単独に、あるいは、組み合わせた干渉パターンとして記録したものである。
【００２０】
図３はホログラム板１８の断面図である。ホログラム板１８は、同心円状でかつ断面が矩形状の多数の凹凸部１８ａ、１８ｂを有する透明基材１７の一部を切り取ることにより形成されており、屈折率ｎを有する。
【００２１】
図４に示すように、同心円状の凹凸部１８ａ、１８ｂの曲率中心は、Ｙ軸上に位置している。すなわち、円弧状のパターンとしての凹凸部１８ａ、１８ｂは、透明基材１７の同心円状のデフォーカスパターンの中心部からＹ軸方向にシフトした任意の部分を切り取ったパターンと考えることができる。なお、隣接する凹部１８ａと凸部１８ｂのデューティ比は略１：１である。
【００２２】
ただし、凹凸部１８ａ、１８ｂは、上記同心円状のデフォーカスパターンの外周部ほどピッチＴｐが二次関数的に密になる同心円状のパターン（デフォーカス波面発生機能）と、Ｙ軸方向に凹凸部１８ａ、１８ｂと同ピッチを持つ直線状のパターン（チルト波面発生機能）とを合わせ持っている。
【００２３】
すなわちホログラム板１８は、入射光束をＹ軸方向に分割すると共に、分割された光束に対し光軸方向に正負のデフォーカスを与えることができる。
【００２４】
各構成要素は、レーザ光束が光ディスク１６の情報記録面に適正に収束したとき、ホログラム板１８によって分割された一対の光束が、後述するサーボ用受光素子２２ａ、２２ｂに受光され、その受光出力に基づいて所定の演算処理が行われ、算出された各エラー信号が０となるように設定されている。この一対の光束は、光ディスク１６に対する光学ヘッドの離反・接近に起因して光ディスク１６の情報記録面に適正に合焦されないとき、サーボ用受光素子２２ａ、２２ｂ上に形成されるスポットの形状が変化するため、受光出力が変化し、演算結果も変化する。
【００２５】
なお、ここでは、ホログラム板１８の断面形状は矩形状であるが、これに限られるものではなく、サイン波形状、階段波形状、鋸歯状など、他の形状でも良いし、１８ａと１８ｂの凹凸部のＤｕｔｙ比を１：１から変更することや、さらに、図３に示す溝深さＴｄを変更し、全く別の所望の光量比率に設定もできる。
【００２６】
ホログラム板１８は、プリズムブロック部８が射出した光束を、図２の左右方向（タンジェンシャル相当方向：Ｙ方向）において光束Ａ（０次光）と、光束群Ｂ１、Ｂ２（±１次回折光）に分割し、この光束群に、図５に示すように、光軸Ｏ方向に関する正負方向のデフォーカス（集光レンズ１９を透過した±１次回折光が、センサ位置に対し、ホログラム板側とその逆側で収束するようなデフォーカス）を生じさせる。図５において、光軸Ｏとは信号検出部３の中心軸をいう。また、ＦＢ１は＋１次回折光による合焦位置であり、ＦＢ２は−１次回折光による合焦位置である。また、各センサの光軸Ｏと直交する中心軸からＦＢ１までの光軸Ｏ方向の距離をΔＬＢ１、各センサの光軸Ｏと直交する中心軸からＦＢ２までの光軸Ｏ方向の距離をΔＬＢ２とする。
【００２７】
複合センサ２０は、図２、図５に示すように、ホログラム板１８から射出して、集光レンズ１９を透過した、各光束をそれぞれ受光して電気信号に変換する、データ用受光素子２１、及びサーボ用受光素子２２ａ、２２ｂを有する。これらの受光素子２１、２２ａ、２２ｂは、光軸Ｏと直交する同一平面上に配置された状態で、パッケージ２０ａに収容されてコンパクト化されている。また、サーボ用受光素子２２ａ、２２ｂは、光軸Ｏ対称に配設された一対の受光素子であり、後述する受光エレメントを除き、同様の形態を有している。
【００２８】
この０次光は、データ用受光素子２１に受光され、データ信号としての再生ＲＦ信号の生成に用いられる。また、±１次回折光は、サーボ用受光素子２２ａ、２２ｂに受光され、サーボ信号としてのフォーカスエラー信号ＦＥＳ及びトラッキングエラー信号ＴＥＳの生成に用いられる。
【００２９】
上述したように±１次回折光は、それぞれの受光素子位置に対し、ホログラム板側とその逆側で収束する（図５）ため、各受光素子上でデフォーカスを発生させる。ただし、その収束位置ＦＢ１、ＦＢ２が受光素子位置を挟んで等距離に位置する場合（すなわちΔＬＢ１＝ΔＬＢ２の場合）、データ用受光素子２１上に０次光の焦点が結ばれるため、上述したようにエネルギー密度が高い光束がデータ用受光素子２１において受光されることになり、データ用受光素子２１の応答速度が低下してしまう。
【００３０】
本発明の実施形態では、サーボ用受光素子２２ａ、２２ｂの受光エレメントが、それぞれ異なった形態となっているため、データ用受光素子２１上においてデフォーカスが発生した０次光が受光される。その結果、データ用受光素子２１上で形成されるスポットのエネルギー密度が低くなり、データ用受光素子２１の応答速度低下を防止することが可能となる。詳しくは、以下に説明をする。
【００３１】
図６は、本発明の実施形態の受光素子と処理部との接続開係を示す回路図である。一対のサーボ用受光素子２２ａ、２２ｂは、同等の受光面積を有している。
さらに、トラッキング相当方向（Ｘ方向）と直交する方向の分割線により２等分割されると共に、トラッキング方向と平行な方向の分割線により３分割されたマトリックス型の分割受光面（受光エレメント）を備えている。サーボ用受光素子２２ａの１行目の分割受光面に図中左から順にｋ、ａ、ｇ、２行目の分割受光面に左から順にｌ、ｂ、ｈの符号を付し、サーボ用受光素子２２ｂの１行目の分割受光面に左から順にｅ、ｉ、ｃ、２行目の分割受光面に左から順にｆ、ｊ、ｄの符号を付する。また、データ用受光素子２１の受光面にｐの符号を付する。また、以下の記載において、各受光面の出力には、各受光面に付した符号と同一符号を用いることとする。上記受光面の出力は処理部４に入力され、処理部４においてフォーカスエラー信号およびトラックエラー信号が検出される。本実施の形態の相変化型光ディスク用ヘッド装置では、スポットサイズ法によりフォーカスエラー信号を検出すると共に、ラジアルプッシュプル法によりトラックエラー信号を検出している。
【００３２】
処理部４は、図６に示すように、第１加算器２４〜第８加算器３１と第１減算器３２、第２減算器３３を有する。第１加算器２４は出力ｉ、ｈ、ｌを加算し、第２加算器２５は出力ｊ、ｋ、ｇを加算し、第３加算器２６は出力ａ、ｆ、ｄを加算し、第４加算器２７は出力ｂ、ｃ、ｅを加算する。第５加算器２８は、第１加算器２４の加算出力（ｉ＋ｈ＋ｌ）と第２加算器２５の加算出力（ｊ＋ｋ＋ｇ）とを加算して、その加算出力（ｉ＋ｈ＋ｌ＋ｊ＋ｋ＋ｇ）を第１減算器３２の一方の入力端子に出力し、第６加算器２９は、第３加算器２６の加算出力（ａ＋ｆ＋ｄ）と第４加算器２７の加算出力（ｂ＋ｃ＋ｅ）とを加算して、加算出力（ａ＋ｆ＋ｄ＋ｂ＋ｃ＋ｅ）を第１減算器３２の他方の入力端子に出力する。第１減算器３２は、第５加算器２８の加算出力（ｉ＋ｈ＋ｌ＋ｊ＋ｋ＋ｇ）と第６加算器２９の加算出力（ａ＋ｆ＋ｄ＋ｂ＋ｃ＋ｅ）と差を取ることにより、フォーカスエラー信号ＦＥＳを生成する。
フォーカスエラー信号ＦＥＳ（ｉ＋ｈ＋ｌ＋ｊ＋ｋ＋ｇ）−（ａ＋ｆ＋ｄ＋ｂ＋ｃ＋ｅ）＝０・・・（１）、
式（１）が成立するとき、レーザ光束が光ディスク１６の情報記録面に適正に合焦していると判定する。
【００３３】
本発明の実施形態では、サーボ用受光素子２２ａの受光エレメント（ａ＋ｂ）と、サーボ用受光素子２２ｂの受光エレメント（ｉ＋ｊ）との受光面積比は、２：１となっている。また、サーボ用受光素子２２ａの受光エレメント（ｇ＋ｈ＋ｋ＋ｌ）と、サーボ用受光素子２２ｂの受光エレメント（ｃ＋ｄ＋ｅ＋ｆ）との受光面積比は、４：５となっている。フォーカスエラー信号ＦＥＳが０となる（つまり、式（１）を満たす）とき、各サーボ用受光素子上で形成されるスポットは、左右のサーボ用受光素子の出力の差を補うために、それぞれ異なった形状となる（図６）。この時、ΔＬＢ１≠ΔＬＢ２であり、すなわち０次光は、データ用受光素子２１に対してホログラム板側、またはその逆側のいずれかで収束している。そのため、データ用受光素子２１上でデフォーカスが生じる。その結果、データ用受光素子２１上で形成されるスポットのエネルギー密度が低くなり、データ用受光素子２１の応答速度低下を防止することが可能となる。
【００３４】
第７加算器３０は、第２加算器２５の加算出力（ｊ＋ｋ＋ｇ）と第３加算器２６の加算出力（ａ＋ｆ＋ｄ）とを加算して、加算出力（ｊ＋ｋ＋ｇ＋ａ＋ｆ＋ｄ）を第２減算器３４の一方の入力端子に出力し、第８加算器３１は、第１加算器２４の加算出力（ｉ＋ｈ＋ｌ）と第４加算器２７の加算出力（ｂ＋ｃ＋ｅ）とを加算して、加算出力（ｉ＋ｈ＋ｌ＋ｂ＋ｃ＋ｅ）を第２減算器３３の他方の入力端子に出力する。第２減算器３３は、第７加算器３０の加算出力（ｊ＋ｋ＋ｇ＋ａ＋ｆ＋ｄ）と第８加算器３１の加算出力（ｉ＋ｂ＋ｌ＋ｂ＋ｃ＋ｅ）との差を取ることにより、トラッキングエラー信号ＴＥＳを生成する。
トラッキングエラー信号ＴＥＳ＝（ｊ＋ｋ＋ｇ＋ａ＋ｆ＋ｄ）−（ｉ＋ｂ＋ｌ＋ｂ＋ｃ＋ｅ）＝０・・・（２）、
式（２）が成立するとき、レーザ光束が光ディスク１６の情報記録面に対してトラッキング方向に誤差無く収束していると判定する。
【００３５】
また、データ用受光素子２１に受光された光束は、出力ｐとして、再生ＲＦ信号を生成する。
【００３６】
以上が本発明の実施形態である。本発明はこれらの実施形態に限定されるものではなく様々な範囲で変形が可能である。
【００３７】
本実施形態は、一対のサーボ用受光素子２２ａ、２２ｂの受光面の中心を含む受光エレメントが、それぞれ異なった受光面積を有しているが、他の実施形態では、それぞれ異なった受光感度を有するように構成してもよい。この場合、各サーボ用受光素子の受光感度の相違を補うように、一対のサーボ用受光素子それぞれに異なった量のデフォーカスを発生させて、フォーカスエラーを除去しようとする。そのため、０次光の焦点がデータ用受光素子面上から外れ、本実施形態と同様にデフォーカスが生じ、応答速度低下を防止することが可能となる。各サーボ用受光素子の受光感度以外は共通であるため、機械的な設計が簡便となる。
【００３８】
また、他の実施形態では、一対のサーボ用受光素子２２ａ、２２ｂのいずれかの受光面前面に減光フィルタを設けてもよい。この場合、減光した分の光量を補うように、一対のサーボ用受光素子それぞれに異なった量のデフォーカスを発生させて、フォーカスエラーを除去しようとする。各サーボ用受光素子は共通部品となるため、コストダウンを図ることができる。
【００３９】
また、他の実施形態では、一対のサーボ用受光素子２２ａ、２２ｂの演算処理にそれぞれ異なった係数を用いてもよい。この場合、フォーカスエラー信号ＦＥＳの演算結果を０とするために、一対のサーボ用受光素子それぞれに異なった量のデフォーカスを発生させて、フォーカスエラーを除去しようとする。各サーボ用受光素子は共通部品となるため、コストダウンを図ることができる。
【００４０】
【発明の効果】
以上のように本発明の相変化型光ディスク用ヘッド装置は、一対のサーボ用受光素子がそれぞれ等しい光量の光束を受光した場合に異なった信号を出力するよう構成されているため、合焦時、一対のサーボ用受光素子それぞれに異なった量のデフォーカスを発生させて、スポットサイズ法によるフォーカスエラーを除去しようとする。そのため、光軸上に配設されたデータ用受光素子上に０次光の焦点が結ばれなくなる。つまり、データ用受光素子上でデフォーカスが生じ、その結果、高いエネルギー密度を受光することによる受光素子の応答速度の低下を防止することが可能となる。
【図面の簡単な説明】
【図１】本発明に係る相変化型光ディスク用ヘッド装置の実施の形態の要部構成を示す斜視図である。
【図２】図１に示す相変化型光ディスク用ヘッド装置の信号検出部を拡大して示す斜視図である。
【図３】図１に示すホログラム板の断面を部分的に示す拡大断面図である。
【図４】図３に示すホログラム板の平面図である。
【図５】図２に示す信号検出部を上方から見た平面図である。
【図６】受光素子と処理部との接続開係を示す回路図である。
【符号の説明】
１  光源部
２  対物光学系
３  信号検出部
４  処理部
２０  複合センサ
【図１】
2004178760.tif 000003
【図２】
2004178760.tif 000004
【図３】
2004178760.tif 000005
【図４】
2004178760.tif 000006
【図５】
2004178760.tif 000007
【図６】
2004178760.tif 000008